(57)【要約】      （修正有）【課題】地震による家屋倒壊を防止する建物構造を提供する。【解決手段】地震による倒壊を防止する建物構造において、建物の重心を支える柱と、前記柱の真下の横木と、古タイヤと、建築物の補修に使われる足場の鉄パイプと、ゴムチューブとから構成され、古タイヤは、横木に横にした状態でくくりつけられ、鉄パイプは、床下の柱と柱をつなぐ横木の腐蝕崩壊防止の補強材として連結され、ゴムチューブは、古タイヤを軸に放射状に放たれた中間に連結され、ゴムチューブのもう一方の先端は、コンクリートに埋め込めた鉄釘に連結される。【選択図】図３
0003222070.tif 000002
【実用新案登録請求の範囲】
私の考えはいたってシンプルで建築物と地面の接点を切り離し、建物の重心を支える柱の真下の横木に横にした古タイヤをくくりつけて、コンクリートで地ならしをした地表に建築物をそっと戻し置くだけである、さらに床下の柱と柱をつなぐ横木の腐蝕崩壊防止の補強材には建築物の補修に使われる足場の鉄パイプを連結し床下平面横木のずれや歪に四角型が菱形に変形してしまわないよう建築物倒壊防止とします、建築物の地震による横ずれには、重い柱を支える要所の古タイヤを軸に放射状に放たれた中間には、ゴムチューブか金属性バネを連結し、もう一方の先端にコンクリートに埋め込めた３０センチ程の鉄釘の頭と連結します。
【考案の詳細な説明】
【考案の詳細な説明】
天変地異で申せば地震、台風、津波、噴火、戦争、（経済、サイバー攻撃）火事、盗難、ひとさらい、そのうちの地震、原因はユーラシア大陸に迫り来るフィリッピン海溝、太平洋プレート、アメリカンプレートの狭間に浮かぶ日本列島、しかも活断層だらけに民家やビルが建ち並び、何十年何百年と忘れた頃の天災に人々はなす術もなく事後処理に負われる日々が続く、北海道  東日本、関東大、新潟、南海トラフト、阪神淡路、熊本益城町Ｍ７は間髪をいれずに二度の発生とは驚いた、天に向かって唾を吐くようであろうとも、いつ、どこに、どんな風景に変化しようともローンで安住の地と家族の安らぎを信じ買い求めた大切なる家屋は、一瞬にして倒壊のうきめに遭遇する事となりうる事は、目と鼻の先の話として向き合うべきであろう。日本建築の材料は主に木材であり、古民家の美しき景観をそのままに保全を目指すべき私の案は、地震がいつ起ころうともマグニチュード半減以下を目指します。
床下の重心を支える柱の真下の横木に横にした古タイヤをくくりつけてコンクリート地ならしをした地表に建築物をそっと戻し置くだけである
更に床下の柱と柱をつなぐ横木の腐蝕崩壊防止の補強材には建築物の補修に使われる足場の鉄パイプを連結し床下平面横木のずれや歪みに四角形が菱形に変形してしまわないよう建築物倒壊防止とします、建築物の地震による横ずれには要所の端の杭にゴムチューブかバネを連結します
【考案の詳細な説明】
天変地異で申せば地震台風津波噴火戦争（経済サイバー攻撃）火事、そのうちの地震、原因はユーラシア大陸に押し寄せるフィリッピン海溝太平洋アメリカプレートの狭間上に浮かぶ日本列島、しかも活断層だらけに民家やビルが建ち並び、何十年何百年と忘れた頃の天災に人々はなす術もなく事後処理に負われる日々が続く、北海道  東日本  新潟  南海トラフト  阪神淡路  熊本益城町Ｍ７は間髪いれず二度の発生には驚いた、天に向かって唾を吐くようであろうとも、いつ、どこに、どんな風景に変化しようとも買い求めた安住の地と家族の安らぎと信じた家屋は一瞬にて倒壊の現実となりうる事は目と鼻の先の話として向き合うべきであろう。
日本建築の材料は主に木材であり美しい古民家のすがた景観をそのままに保全、私の案は地震がいつ起ころうともマグニチュド半減以下となろう。
内閣府  各位様への提案書    ２０１８年５月１６日
【図１】
0003222070.tif 000003
【手続補正書】
【提出日】平成30年8月31日(2018.8.31)
【手続補正１】
【補正対象書類名】実用新案登録請求の範囲
【補正対象項目名】全文
【補正方法】変更
【補正の内容】
【実用新案登録請求の範囲】
【請求項１】
地震による家屋倒壊を防止する建物構造において、建物の重心を支える横木と全重心がかかる縦柱の真下に古タイヤを並べ置き縦柱と横柱の交差支点に紐で結びつける、横柱に沿い結ぶ建築用鉄パイプも斜め角地に三角型の斜線状に結べば横柱の腐蝕や地面の横流れで建築物が隣家の境ブロックに衝突の恐れがあり、そこでタイヤに結んだ四方八方のゴムチューブの先に、コンクリートの地面下に打ち込んだ鉄釘と結びます、地震の縦ゆれ横ゆれにタイヤにより衝撃緩和と、タイヤと鉄釘をゴムチューブをあいだに結べば、この全工程をもって、地震による家屋倒壊防止を特徴とする建物構造。
【手続補正２】
【補正対象書類名】明細書
【補正対象項目名】全文
【補正方法】変更
【補正の内容】
【考案の詳細な説明】
【考案の詳細な説明】
【０００１】天変地異で申せば地震、台風、津波、噴火、戦争、（経済、サイバー攻撃）火事、盗難、ひとさらい、そのうちの地震、原因はユーラシア大陸に迫り来るフィリッピン海溝、太平洋プレート、アメリカンプレートの狭間に浮かぶ日本列島、しかも活断層だらけに民家やビルが建ち並び、何十年何百年と忘れた頃の天災に人々はなす術もなく事後処理に負われる日々が続く、北海道  東日本、関東大、新潟、南海トラフト、阪神淡路、熊本益城町Ｍ７は間髪をいれずに二度の発生には驚いた、天に向かって唾を吐くようであろうとも、いつ、どこに、どんな風景に変化しようともローンで安住の地と家族の安らぎを信じ買い求めた大切なる家屋は、一瞬にして倒壊のうきめに遭遇する事となりうるとは、目と鼻の先の話として向き合うべきであろう。日本建築の材料は主に木材であり、古民家の美しき景観をそのままに保全を目指すべき私の案は、地震がいつ起ころうともマグニチュード半減以下を目指します。
床下の重心を支える柱の真下の横木に、横にした古タイヤをくくりつけてコンクリート地ならしをした地表に建築物をそっと戻し置くだけである。
更に床下の柱と柱をつなぐ横木の腐蝕崩壊防止の補強材には建築物の補修材に使われる足場の鉄パイプを連結し、床下平面横木のずれや歪みに四角形が菱形に変形してしまわないよう建築物倒壊防止とします、
建築物の地震による横ずれにはタイヤのホイールから放たれたゴムチューブかバネの先に、コンクリートに打ち込まれた鉄くぎの頭と連結した構造物。
【０００２】天変地異で申せば、地震  台風  津波  噴火  戦争（サイバー攻撃）火事  盗難、そのうちの地震、原因はユーラシア大陸に押し寄せるフィリッピン、太平洋プレート、アメリカプレート、その狭間に浮かぶ日本列島、しかも活断層だらけに民家やビルが立ち並び、何十年何百年と忘れた頃の天災に人々はなす術もなく事後処理に負われる日々が続く、北海道  東日本  新潟  南海トラフト  阪神淡路  熊本益城町Ｍ７、間髪いれず二度発生に驚いた、天に向かって唾を吐くようであろうとも、いつ、どこに、どんな風景に変化しようとも安住の地と家族の安らぎを信じて買い求めた家屋は一瞬に倒壊の現実と直面すれば他人ごとの話ではないのだ、日本建築の材料は主に木材であり美しい古民家の景観をそのままに保全、いつ地震がきてもマグニチュード半減以下とする。
【図面の簡単な説明】
【０００３】
【図１】  農家の床下風景であり縦柱を支える石があるだけです。
【図２】  時代が進みコンクリートの土台になりコンクリート上面にボルトが突き出し横木の穴から出たボルトを横木固定にナットでしめてます。
【図３】  四方に走る横木が建て柱を支える状態であり、縦柱の土面に接する部分をホイール接触部分まで切りとります、その下に古タイヤを横に置きタイヤホイールで支えるゴムタイヤ内側ホイールの飾り穴をとうした紐は，十文字に縦柱に結びつけます  タイヤをもちあげるホイールを裏側にして下から差し込み上げホイールの飾り穴を通した紐を縦柱を支えた十文字の横木に縛りつけます。
【図４】  角地に面した横木の腐蝕、弱体化を招いたときの震災発生に備え工事現場の足場に使う鉄パイプを横木にそってはり巡らせ横柱の菱形変形による家屋倒壊を防御します。縦柱を支える横柱の角地と角地を鉄パイプだけで三角形の斜面状に交差して連結すれば、横柱の菱形変形防止となります。
【図５】  タイヤを囲む円形直系１メーターか１．５メーターくらいの鉄輪に五角六角八角型に対し鉄釘の地下面鉄釘部分を直角上向き状態に接続した鉄釘の頭にゴムチューブ（自転車のゴムチューブ）をだ円状に穴あけした釘頭に通してタイヤホイールの飾り穴に引っかけ結びつける。この装置はコンクリートを打ち込む前に設置します  コンクリートの下の鉄輪は振動での鉄釘引っこ抜かれ防止です。
【手続補正４】
【補正対象書類名】図面
【補正対象項目名】全図
【補正方法】変更
【補正の内容】
【図１】
0003222070.tif 000004
【図２】
0003222070.tif 000005
【図３】
0003222070.tif 000006
【図４】
0003222070.tif 000007
【図５】
0003222070.tif 000008
【手続補正書】
【提出日】平成30年10月31日(2018.10.31)
【手続補正１】
【補正対象書類名】実用新案登録請求の範囲
【補正対象項目名】全文
【補正方法】変更
【補正の内容】
【実用新案登録請求の範囲】
【請求項１】
地震による家屋倒壊を防止する建物構造において、建物の重心を支える柱と、前記柱の真下の横木と、古タイヤと、建築物に使われる足場の鉄パイプと、ゴムチューブとから構成され、前記古タイヤは、前記横木に横にした状態でくくりつけられ、前記鉄パイプは、床下の柱と柱をつなぐ横木の腐蝕崩壊防止の補強材として連結され、前記ゴムチューブは前記古タイヤを軸に放射状に放たれた中間に連結され、前記ゴムチューブのもう一方の先端はコンクリートに埋め込めた鉄釘に連結されることを特徴とする建物構造。
もしも地震が発生した後には、メンテナンスの確認とホローアップがなされれば、余震の対応となりましょう。
【手続補正書】
【提出日】平成31年1月15日(2019.1.15)
【手続補正１】
【補正対象書類名】実用新案登録請求の範囲
【補正対象項目名】全文
【補正方法】変更
【補正の内容】
【実用新案登録請求の範囲】
【請求項１】
地震による倒壊を防止する建物構造において、建物の重心を支える柱と、前記柱の真下の横木と、古タイヤと、建築物の補修に使われる足場の鉄パイプと、ゴムチューブとから構成され、前記古タイヤは、前記横木に横にした状態でくくりつけられ、前記鉄パイプは、床下の柱と柱をつなぐ横木の腐蝕崩壊防止の補強材として連結され、前記ゴムチューブは、前記古タイヤを軸に放射状に放たれた中間に連結され、前記ゴムチューブのもう一方の先端は、コンクリートに埋め込めた鉄釘に連結されることを特徴とする建物構造。
【手続補正２】
【補正対象書類名】明細書
【補正対象項目名】全文
【補正方法】変更
【補正の内容】
【考案の詳細な説明】
【考案の詳細な説明】
【０００１】天変地異で申せば地震、台風、津波、噴火、戦争、（経済、サイバー攻撃）火事、盗難、ひとさらい、そのうちの地震、原因はユーラシア大陸に迫り来るフィリッピン海溝、太平洋プレート、アメリカンプレートの狭間に浮かぶ日本列島、しかも活断層だらけに民家やビルが建ち並び、何十年何百年と忘れた頃の天災に人々はなす術もなく事後処理に負われる日々が続く、北海道  東日本、関東大、新潟、南海トラフト、阪神淡路、熊本益城町Ｍ７は間髪をいれずに二度の発生には驚いた、天に向かって唾を吐くようであろうとも、いつ、どこに、どんな風景に変化しようともローンで安住の地と家族の安らぎを信じ買い求めた大切なる家屋は、一瞬にして倒壊のうきめに遭遇する事となりうるとは、目と鼻の先の話として向き合うべきであろう。日本建築の材料は主に木材であり、古民家の美しき景観をそのままに保全を目指すべき私の案は、地震がいつ起ころうともマグニチュード半減以下を目指します。
床下の重心を支える柱の真下の横木に、横にした古タイヤをくくりつけてコンクリート地ならしをした地表に建築物をそっと戻し置くだけである。
更に床下の柱と柱をつなぐ横木の腐蝕崩壊防止の補強材には建築物の補修材に使われる足場の鉄パイプを連結し、床下平面横木のずれや歪みに四角形が菱形に変形してしまわないよう建築物倒壊防止とします、
建築物の地震による横ずれにはタイヤのホイールから放たれたゴムチューブかバネの先に、コンクリートに打ち込まれた鉄くぎの頭と連結した構造物。
【０００２】天変地異で申せば、地震  台風  津波  噴火  戦争（サイバー攻撃）火事  盗難、そのうちの地震、原因はユーラシア大陸に押し寄せるフィリッピン、太平洋プレート、アメリカプレート、その狭間に浮かぶ日本列島、しかも活断層だらけに民家やビルが立ち並び、何十年何百年と忘れた頃の天災に人々はなす術もなく事後処理に負われる日々が続く、北海道  東日本  新潟  南海トラフト  阪神淡路  熊本益城町Ｍ７、間髪いれず二度発生に驚いた、天に向かって唾を吐くようであろうとも、いつ、どこに、どんな風景に変化しようとも安住の地と家族の安らぎを信じて買い求めた家屋は一瞬に倒壊の現実と直面すれば他人ごとの話ではないのだ、日本建築の材料は主に木材であり美しい古民家の景観をそのままに保全、いつ地震がきてもマグニチュード半減以下とする。
【図面の簡単な説明】
【０００３】
【図１】農家の床下風景であり縦柱を支える石があるだけです。
【図２】時代が進みコンクリートの土台になりコンクリート上面にボルトが突き出し横木の穴から出たボルトを横木固定にナットでしめてます。
【図３】四方に走る横木が建て柱を支える状態であり、縦柱の土面に接する部分をホイール接触部分まで切りとります、その下に古タイヤを横に置きタイヤホイールで支えるゴムタイヤ内側ホイールの飾り穴をとうした紐は，十文字に縦柱に結びつけます  タイヤをもちあげるホイールを裏側にして下から差し込み上げホイールの飾り穴を通した紐を縦柱を支えた十文字の横木に縛りつけます。
【図４】角地に面した横木の腐蝕、弱体化を招いたときの震災発生に備え工事現場の足場に使う鉄パイプを横木にそってはり巡らせ横柱の菱形変形による家屋倒壊を防御します。縦柱を支える横柱の角地と角地を鉄パイプだけで三角形の斜面状に交差して連結すれば、横柱の菱形変形防止となります。
【図５】タイヤを囲む円形直系１メーターか１．５メーターくらいの鉄輪に五角六角八角型に対し鉄釘の地下面鉄釘部分を直角上向き状態に接続した鉄釘の頭にゴムチューブ（自転車のゴムチューブ）をだ円状に穴あけした釘頭に通してタイヤホイールの飾り穴に引っかけ結びつける。この装置はコンクリートを打ち込む前に設置します  コンクリートの下の鉄輪は振動での鉄釘引っこ抜かれ防止です。
【手続補正４】
【補正対象書類名】図面
【補正対象項目名】全図
【補正方法】変更
【補正の内容】
【図１】
0003222070.tif 000009
【図２】
0003222070.tif 000010
【図３】
0003222070.tif 000011
【図４】
0003222070.tif 000012
【図５】
0003222070.tif 000013